(57)【要約】【課題】高い洗浄性を有すると共に、洗い残しが無く、被洗浄面に傷を付ける事が無く、高い耐久性を有し、製造方法が簡易な洗車機用洗浄ブラシを提供する。【解決手段】自動車洗浄用あるいは車両洗浄用の洗車機に使用する洗浄ブラシにおいて、前記洗浄ブラシは平板状のブラシ片を有すると共に、前記ブラシ片の外縁部に概波形形状あるいは概歯形形状が形成されてあるものである。【選択図】      図１
2006056498.tif 000002
【特許請求の範囲】
【請求項１】
自動車洗浄用あるいは車両洗浄用の洗車機に使用する洗浄ブラシにおいて、前記洗浄ブラシは平板状のブラシ片を有すると共に、前記ブラシ片の外縁部に概波形形状あるいは概歯形形状が形成されてあることを特徴とする洗車機用洗浄ブラシ。
【請求項２】
請求項１記載の構成よりなる洗車機用洗浄ブラシにおいて、前記ブラシ片は外縁部にスリットが形成されてあることを特徴とする洗車機用洗浄ブラシ。
【発明の詳細な説明】
【技術分野】
【０００１】  本発明は、自動車あるいは車両の外面の被洗浄面に付着した汚れ等を洗浄する為の洗車機に使用する洗浄ブラシに関するものである。
【背景技術】
【０００２】  自動車あるいは車両の外面の被洗浄面に付着した汚れ等を洗浄する為の洗車機に使用する洗浄ブラシに関しては、使用目的に応じて、洗浄ブラシに使用するブラシ片に、さまざまな改良がなされ、例えば、長さ方向に対して直交する方向の断面が柔軟な山部と谷部とで構成される波形状に形成され、上記山部の先端と谷部の底部とにそれぞれ丸みをつけたことを特徴とする洗車機用ブラシの毛材が、洗車機用ブラシの毛材として、特開平１０−３０５７６３号公報に開示されてある。【０００３】  また、例えば、断面形状が山部と谷部とを有する略波形形状に折曲げられ、一端が回転軸に取付ける取付部分に形成され、他端が洗車時に車体の表面に接触させられる洗浄部分に形成され、円周方向に繋げられた洗浄体より構成される洗車機用回転ブラシにおいて、前記洗浄部分の山部と谷部とには所定長さの切り込みが入れられていることを特徴とした洗車機用回転ブラシが、洗車機用回転ブラシとして、特開平１０−３５４３３号公報に開示されてある。【０００４】
【特許文献１】  特開平１０−３０５７６３号公報
【特許文献２】  特開平１０−３５４３３号公報
【発明の開示】
【発明が解決しようとする課題】
【０００５】  従来の洗車機用洗浄ブラシは、上記の如くの技術が開示されてあるが、特開平１０−３０５７６３号公報においては、洗車機用ブラシの毛材の長さ方向に対して直交する方向の断面が柔軟な山部と谷部とで構成される波形状に形成されてある為、被洗浄面にたいしてブラシの毛材が接触した場合、山部と谷部が伸縮することにより衝撃を和らげて被洗浄面に傷が付く事は緩和できるが、洗浄性を向上させる事は容易では無いという課題を有していた。また、特開平１０−３５４３３号公報においては、断面形状が山部と谷部とを有する略波形形状に折曲げられ、一端が回転軸に取付ける取付部分に形成され、他端が洗車時に車体の表面に接触させられる洗浄部分に形成され、円周方向に繋げられた洗浄体より構成されてある為、洗浄体の製造方法が複雑、かつ困難であるという課題を有していた。本発明は、上記のような課題を解決するためになされたもので、高い洗浄性を有すると共に、洗い残しが無く、被洗浄面に傷を付ける事が無く、高い耐久性を有し、製造方法が簡易な洗車機用洗浄ブラシを提供することを目的としている。
【課題を解決するための手段】
【０００６】  本発明にかかる洗車機用洗浄ブラシは、次のように構成したものである。
（１）自動車洗浄用あるいは車両洗浄用の洗車機に使用する洗浄ブラシにおいて、前記洗浄ブラシは平板状のブラシ片を有すると共に、前記ブラシ片の外縁部に概波形形状あるいは概歯形形状が形成されてあるものである。【０００７】  （２）上記（１）記載の洗車機用洗浄ブラシにおいて、前記ブラシ片は外縁部にスリットが形成されてあるものである。
【発明の効果】
【０００８】  本発明の洗車機用洗浄ブラシは、次に示すような効果を得ることができる。なお、説明にあたっては、請求項の番号と同じ番号を付して説明する。【０００９】  （１）洗車機用洗浄ブラシの使用時においては、ブラシ片の外縁部に形成されてある波形形状部を、被洗浄面にたいして、連続的、かつ円滑に接触させる事ができる。その為、洗車機用洗浄ブラシは、被洗浄面に、汚れ等が強力に付着している場合であっても、ブラシ片に形成されてある波形形状部が、連続的に汚れ等を掻き落とす事ができる為、洗い残しが無く、高い洗浄性を有する事ができる。【００１０】  また、波形形状部は、所定形状に設定された連続曲線にて形成されてある為、ブラシ片を、被洗浄面にたいして、円滑に接触させる事ができる。その為、ブラシ片は、被洗浄面に傷を付ける事が無いと共に、ブラシ片の劣化を防止する事ができ、洗車機用洗浄ブラシは、高い耐久性を有する事ができる。さらにまた、ブラシ片は、波形形状部を有する外縁部からなる平板状に形成されてある為、例えばトムソン型等を使用して打ち抜く方法、あるいは、鋏、カッター等を使用して切断する方法等、極めて簡易、かつ、迅速な製造方法を採用できる。その為、ブラシ片を安価に製造できる為、洗車機用洗浄ブラシの価格を安価にする事ができる。【００１１】  （１）洗車機用洗浄ブラシに使用するブラシ片の他の実施の形態として、外縁部を有する平板状に形成されてあり、外縁部の中央部に波形形状部、及び、両側に直線部が形成されてあり、外縁部の先端部に波形形状部、及び、下部に直線部が形成されてあるブラシ片を使用した場合においては、洗車機用洗浄ブラシの使用時においては、ブラシ片の外縁部に形成されてある波形形状部、及び直線部を、被洗浄面にたいして、連続的、かつ、円滑に接触させる事ができる。その為、洗車機用洗浄ブラシは、被洗浄面に、さまざまな汚れ等が強力に付着している場合であっても、ブラシ片に形成されてある波形形状部、及び直線部が、連続的、かつ、異なる接触強さにて、被洗浄面に付着している汚れ等に接触する事ができる為、洗い残しが無く、高い洗浄性を有する事ができる。【００１２】  （１）洗車機用洗浄ブラシに使用するブラシ片の他の実施の形態として、外縁部を有する平板状に形成されてあり、外縁部に、歯形形状部が形成されてあるブラシ片を使用した場合においては、洗車機用洗浄ブラシの使用時においては、ブラシ片の外縁部に形成されてある歯形形状部を、被洗浄面にたいして、連続的、かつ、円滑に接触させる事ができる。その為、洗車機用洗浄ブラシは、被洗浄面に、汚れ等が強力に付着している場合であっても、ブラシ片に形成されてある歯形形状部が、連続的、かつ円滑に、被洗浄面に付着している汚れ等に接触する事ができる為、洗い残しが無く、高い洗浄性を有する事ができる。【００１３】  （１）洗車機用洗浄ブラシに使用するブラシ片の他の実施の形態として、外縁部を有する平板状に形成されてあり、外縁部に波形形状部が形成されてあり、外縁部に、波形形状の周期が、先端部になる程、徐変して小さくなるように設定されてある徐変波形形状部が形成されてあるブラシ片を使用した場合においては、洗車機用洗浄ブラシの使用時においては、ブラシ片の外縁部に形成されてある波形形状部、及び外縁部に形成されてある徐変波形形状部を、被洗浄面にたいして、連続的、かつ、円滑に接触させる事ができる。その為、洗車機用洗浄ブラシは、被洗浄面に、汚れ等が強力に付着している場合であっても、ブラシ片に形成されてある波形形状部が、連続的、かつ、円滑に、被洗浄面に付着している汚れ等に接触する事ができると共に、波形形状の周期が、先端部になる程、徐変して小さくなるように設定されてある徐変波形形状部を、連続的、かつ、円滑に、被洗浄面に付着している汚れ等に接触させる事ができる。また、徐変波形形状部は、先端部になる程、より強く汚れ等を掻き落とす事ができる。その為、洗い残しが無く、高い洗浄性を有する事ができる。【００１４】  （１）他の実施の形態として、外周部に溝部が形成されてあると共に略円筒形状からなる台座、止め金具、及びブラシ片より構成されてあり、ブラシ片が、止め金具にて、溝部の内部に挟み込まれる事により、着脱可能に、組みつけられて形成されてあり、ブラシ片は、外縁部を有する平板状に形成されてあり、外縁部に、波形形状部が形成されてある洗車機用洗浄ブラシを使用した場合においては、ブラシ片の外縁部に形成されてある波形形状部を、被洗浄面にたいして、連続的、かつ円滑に接触させる事ができる。その為、洗車機用洗浄ブラシは、被洗浄面に、汚れ等が強力に付着している場合であっても、ブラシ片に形成されてある波形形状部が、連続的に汚れ等を掻き落とす事ができる為、洗い残しが無く、高い洗浄性を有する事ができる。また、洗車機用洗浄ブラシは、ブラシ片が、止め金具にて、溝部の内部に挟み込まれる事により、着脱可能に、組みつけられて形成されてある為、ブラシ片を、容易、かつ、迅速に交換する事ができる。【００１５】  （２）洗車機用洗浄ブラシの使用時においては、ブラシ片の外縁部に形成されてある波形形状部を、被洗浄面にたいして、連続的、かつ円滑に接触させる事ができると共に、複数のスリットを、被洗浄面にたいして接触させる事ができる。その為、洗車機用洗浄ブラシは、被洗浄面に、汚れ等が強力に付着している場合であっても、ブラシ片に形成されてある波形形状部により、汚れ等を掻き落とすと共に、複数のスリットが、より強く汚れ等を掻き落とす為、洗い残しが無く、極めて高い洗浄性を有する事ができる。【００１６】  また、波形形状部は、所定形状に設定された連続曲線にて形成されてある為、ブラシ片を、被洗浄面にたいして、円滑に接触させる事ができる。その為、ブラシ片は、被洗浄面に傷を付ける事が無いと共に、ブラシ片の劣化を防止する事ができ、洗車機用洗浄ブラシは、高い耐久性を有する事ができる。【００１７】  （２）洗車機用洗浄ブラシに使用するブラシ片の他の実施の形態として、外縁部を有する平板状に形成されてあり、外縁部に、直線部、端面から中央部に向かって長さの異なる複数のスリット、波形形状部、端面から中央部に向かって所定角度、傾斜されてあると共に外縁部に近づく程スリット間の距離が狭くなるように設定された複数のスリットが、形成されてあるブラシ片を使用した場合においては、洗車機用洗浄ブラシの使用時においては、ブラシ片の外縁部に形成されてある直���部、及び、長さの異なる複数のスリットを、被洗浄面にたいして、連続的、かつ、円滑に接触させる事ができる。その為、洗車機用洗浄ブラシは、被洗浄面に、さまざまな汚れ等が強力に付着している場合であっても、異なる複数のスリットが、汚れ等を強力に掻き落とす事ができる為、洗い残しが無く、高い洗浄性を有する事ができる。【００１８】  また、ブラシ片の外縁部に形成されてある波形形状部、及び、端面から中央部に向かって所定角度、傾斜されてあると共に外縁部に近づく程スリット間の距離が狭くなるように設定された複数のスリットを、被洗浄面にたいして、連続的、かつ、円滑に接触させる事ができる。その為、洗車機用洗浄ブラシは、被洗浄面に、さまざまな汚れ等が、強力に付着している場合であっても、波形形状部が、汚れ等を強力に掻き落とす事ができると共に、所定角度、傾斜されてあると共に外縁部に近づく程スリット間の距離が狭くなるように設定された複数のスリットが、被洗浄面にたいして、傷を付ける事無く接触する事ができる為、高い洗浄性、及び、高い耐久性を、同時に有する事ができる。
【発明を実施するための最良の形態】
【００１９】  高い洗浄性を有すると共に、洗い残しが無く、被洗浄面に傷を付ける事が無く、高い耐久性を有し、製造方法が簡易な洗車機用洗浄ブラシを提供するという目的を、自動車洗浄用あるいは車両洗浄用の洗車機に使用する洗浄ブラシにおいて、前記洗浄ブラシは平板状のブラシ片を有すると共に、前記ブラシ片の外縁部に概波形形状あるいは概歯形形状が形成されてある構成において実現した。
【実施例１】
【００２０】  図１から図８にて実施例１を示す。図１は、本発明の洗車機用洗浄ブラシを前面側から見た斜視図である。図１において、１は洗車機用洗浄ブラシ、２は台座、３はチャンネルブラシ、４は止め金具、５はブラシ片である。図２は、図１に使用する台座を前面側から見た斜視図である。図２において、９５は爪、９６はネジである。図３は、図１のチャンネルブラシの断面図である。図３において、６は芯線、７は帯状体である。図４は、図３のチャンネルブラシをＡ方向から見た正面図である。図４において、８、９は外縁部、１０は波形形状部である。図５は、本発明の他の実施の形態のブラシ片の正面図である。図５において、１５はブラシ片、１８、１９は外縁部、２０は波形形状部、６１、６２は直線部である。図６は、本発明の他の実施の形態のブラシ片の正面図である。図６において２５はブラシ片、２８、２９は外縁部、３０は歯形形状部である。図７は、本発明の他の実施の形態のブラシ片の正面図である。図７において、３５はブラシ片、３８、３９は外縁部、４０は波形形状部、５０は徐変波形形状部である。図８は本発明の他の実施の形態の洗車機用洗浄ブラシを前面側から見た斜視図である。図８において、１１は洗車機用洗浄ブラシ、１２は台座、１４は止め金具、２７は溝部、４５はブラシ片、４８、４９は外縁部、６０は波形形状部である。【００２１】  洗車機用洗浄ブラシ１は、図１の如く、台座２、チャンネルブラシ３、及び止め金具４より構成されてある。台座２は、図２の如く、略円筒形状からなり、外周の両端部には、爪９５を有する止め金具４が、ネジ９６にて組みつけられて形成されてある。チャンネルブラシ３は、図３の如く、ブラシ片５を、芯線６、及び帯状体７に挟み付けて折り込まれて形成されてある。また、洗車機用洗浄ブラシ１は、図１の如く、チャンネルブラシ３を台座２の外周の周りに捩りを加えて螺旋状に巻き付けると共に、止め金具４に形成されてある爪９５にて固定されて形成されてある。【００２２】  ブラシ片５は、図４の如く、外縁部８、及び外縁部９を有する平板状に形成されてあり、外縁部８、及び外縁部９には、波形形状部１０が形成されてある。また、ブラシ片５の材質は、洗車機用洗浄ブラシとして使用可能な材質であるならば、何ら、限定される事は無く、使用目的に応じて、合成樹脂繊維、布、フィルム状樹脂組成物、合成樹脂発泡体、不織布及び極微細な気泡を有する多孔質化されたポリウレタンの基部からなる二重構造体等を、適時、設定できる。また、ブラシ片５の製造方法としては、ブラシ片５の外縁部８、及び外縁部９に、波形形状部１０が形成されるように、トムソン型等を使用して打ち抜く方法、あるいは、鋏、カッター等を使用して切断する方法が採用される。【００２３】  実施例１の洗車機用洗浄ブラシ１は、上記の如くの構成となっているので、洗車機用洗浄ブラシ１の使用時においては、ブラシ片５の外縁部８、及び外縁部９に形成されてある波形形状部１０を、被洗浄面にたいして、連続的、かつ円滑に接触させる事ができる。その為、洗車機用洗浄ブラシ１は、被洗浄面に、汚れ等が強力に付着している場合であっても、ブラシ片５に形成されてある波形形状部１０が、連続的に汚れ等を掻���落とす事ができる為、洗い残しが無く、高い洗浄性を有する事ができる。【００２４】  また、波形形状部１０は、所定形状に設定された連続曲線にて形成されてある為、ブラシ片５を、被洗浄面にたいして、円滑に接触させる事ができる。その為、ブラシ片５は、被洗浄面に傷を付ける事が無いと共に、ブラシ片５の劣化を防止する事ができ、洗車機用洗浄ブラシ１は、高い耐久性を有する事ができる。さらにまた、ブラシ片５は、波形形状部１０を有する外縁部８、及び外縁部９からなる平板状に形成されてある為、例えばトムソン型等を使用して打ち抜く方法、あるいは、鋏、カッター等を使用して切断する方法等、極めて簡易、かつ、迅速な製造方法を採用できる。その為、ブラシ片５を安価に製造できる為、洗車機用洗浄ブラシ１の価格を安価にする事ができる。【００２５】  実施例１の洗車機用洗浄ブラシ１は、上記の如くの構成となっているが、ブラシ片５の製造方法については、外縁部８、及び外縁部９に、波形形状部１０が形成されるような製造方法であるならば、上記の方法以外にも、いかなる製造方法も採用する事ができる。また、波形形状部１０の詳細形状についても、使用目的に応じて、例えば、正弦曲線、不規則性を有する曲線等を、適時、設定できる。【００２６】  次に、図５にて、本発明の実施例１の洗車機用洗浄ブラシに使用するブラシ片の他の実施の形態を説明する。実施例１の他の実施の形態のブラシ片１５は、図５の如く、外縁部１８、及び外縁部１９を有する平板状に形成されてあり、外縁部１８の中央部には波形形状部２０、及び両側には直線部６１が、形成されてある。また、外縁部１９の先端部には波形形状部２０、及び下部には直線部６２が、形成されてある。【００２７】  本発明の実施例１の他の実施の形態のブラシ片１５は、上記の如くの構成となっているので、洗車機用洗浄ブラシの使用時においては、ブラシ片１５の外縁部１８、及び外縁部１９に形成されてある波形形状部２０、及び直線部６１、６２を、被洗浄面にたいして、連続的、かつ、円滑に接触させる事ができる。その為、洗車機用洗浄ブラシは、被洗浄面に、さまざまな汚れ等が強力に付着している場合であっても、ブラシ片１５に形成されてある波形形状部２０、及び直線部６１、６２が、連続的、かつ、異なる接触強さにて、被洗浄面に付着している汚れ等に接触する事ができる為、洗い残しが無く、高い洗浄性を有する事ができる。【００２８】  また、図６にて、本発明の実施例１の洗車機用洗浄ブラシに使用するブラシ片の他の実施の形態を説明する。実施例１の他の実施の形態のブラシ片２５は、図６の如く、外縁部２８、及び外縁部２９を有する平板状に形成されてあり、外縁部２８、及び外縁部２９には、歯形形状部３０が形成されてある。【００２９】  本発明の実施例１の他の実施の形態のブラシ片２５は、上記の如くの構成となっているので、洗車機用洗浄ブラシの使用時においては、ブラシ片２５の外縁部２８、及び外縁部２９に形成されてある歯形形状部３０を、被洗浄面にたいして、連続的、かつ、円滑に接触させる事ができる。その為、洗車機用洗浄ブラシは、被洗浄面に、汚れ等が強力に付着している場合であっても、ブラシ片２５に形成されてある歯形形状部３０���、連続的、かつ、円滑に、被洗浄面に付着している汚れ等に接触する事ができる為、洗い残しが無く、高い洗浄性を有する事ができる。【００３０】  本発明の実施例１の他の実施の形態のブラシ片２５は、上記の如くの構成となっているが、歯形形状部３０の形状については、上記の如く、複数の概台形形状以外にも、使用目的に応じて、例えば、複数の概三形形状、複数の凹凸形状等、最適の形状を設定できる。【００３１】  また、図７にて、本発明の実施例１の洗車機用洗浄ブラシに使用するブラシ片の他の実施の形態を説明する。実施例１の他の実施の形態のブラシ片３５は、図７の如く、外縁部３８、及び外縁部３９を有する平板状に形成されてあり、外縁部３８には波形形状部４０が形成されてあり、外縁部３９には、徐変波形形状部５０が形成されてある。徐変波形形状部５０は、波形形状の周期が、先端部になる程、徐変して小さくなるように設定されてある。【００３２】  本発明の実施例１の他の実施の形態のブラシ片３５は、上記の如くの構成となっているので、洗車機用洗浄ブラシの使用時においては、ブラシ片３５の外縁部３８に形成されてある波形形状部４０、及び外縁部３９に形成されてある徐変波形形状部５０を、被洗浄面にたいして、連続的、かつ、円滑に接触させる事ができる。その為、洗車機用洗浄ブラシは、被洗浄面に、汚れ等が強力に付着している場合であっても、ブラシ片３５に形成されてある波形形状部４０が、連続的、かつ、円滑に、被洗浄面に付着している汚れ等に接触する事ができると共に、波形形状の周期が、先端部になる程、徐変して小さくなるように設定されてある徐変波形形状部５０を、連続的、かつ、円滑に、被洗浄面に付着している汚れ等に接触させる事ができる。また、徐変波形形状部５０は、先端部になる程、より強く汚れ等を掻き落とす事ができる。その為、洗い残しが無く、高い洗浄性を有する事ができる。【００３３】  次に、図８にて、本発明の実施例１の洗車機用洗浄ブラシの他の実施の形態を説明する。実施例１の他の実施の形態の洗車機用洗浄ブラシ１１は、図８の如く、台座１２、止め金具１４、及びブラシ片４５より構成されてある。台座１２は、略円筒形状からなり、外周部には、溝部２７が形成されてあり、ブラシ片４５が、止め金具１４にて、溝部２７の内部に挟み込まれる事により、着脱可能に、組みつけられて形成されてある。また、ブラシ片４５は、外縁部４８、及び外縁部４９を有する平板状に形成されてあり、外縁部４８、及び外縁部４９には、波形形状部６０が形成されてある。【００３４】  実施例１の他の実施の形態の洗車機用洗浄ブラシ１１は、上記の如くの構成となっているので、洗車機用洗浄ブラシ１１の使用時においては、ブラシ片４５の外縁部４８、及び外縁部４９に形成されてある波形形状部６０を、被洗浄面にたいして、連続的、かつ円滑に接触させる事ができる。その為、洗車機用洗浄ブラシ１１は、被洗浄面に、汚れ等が強力に付着している場合であっても、ブラシ片４５に形成されてある波形形状部６０が、連続的に汚れ等を掻き落とす事ができる為、洗い残しが無く、高い洗浄性を有する事ができる。また、洗車機用洗浄ブラシ１１は、ブラシ片４５が、止め金具１４にて、溝部２７の内部に挟み込まれる事により、着脱可能に、組みつけられて形成されてある為、ブラシ片４５を、容易、かつ、迅速に交換する事ができる。
【実施例２】
【００３５】  図９から図１１にて実施例２を示す。図９は、本発明の洗車機用洗浄ブラシを前面側から見た斜視図である。図９において、１７は帯状体、２１は洗車機用洗浄ブラシ、２２は台座、２３はチャンネルブラシ、２４は止め金具、５５はブラシ片である。図１０は、図９に使用するチャンネルブラシの正面図である。図１０において、１６、２６はスリット、５８、５９は外縁部、７０は波形形状部である。図１１は、本発明の他の実施の形態のブラシ片の正面図である。図１１において、３６、４６はスリット、６３は直線部、６５はブラシ片、６８、６９は外縁部、８０は波形形状部である。【００３６】  洗車機用洗浄ブラシ２１は、図９の如く、台座２２、チャンネルブラシ２３、及び止め金具２４より構成されてある。台座２２は、略円筒形状からなり、外周の両端部には、爪を有する止め金具２４が、ネジにて組みつけられて形成されてある。チャンネルブラシ２３は、ブラシ片５５を、芯線、及び帯状体１７に挟み付けて折り込まれて形成されてある。また、洗車機用洗浄ブラシ２１は、図９の如く、チャンネルブラシ２３を台座２２の外周の周りに捩りを加えて螺旋状に巻き付けると共に、止め金具２４に形成されてある爪にて固定されて形成されてある。【００３７】  ブラシ片５５は、図１０の如く、外縁部５８、及び外縁部５９を有する平板状に形成されてあり、外縁部５８、及び外縁部５９には波形形状部７０が形成されてある。また、外縁部５８には、端面から中央部に向かって、複数のスリット１６が、形成されてあると共に、外縁部５９には、端面から中央部に向かって、複数のスリット２６が形成されてある。【００３８】  実施例２の洗車機用洗浄ブラシ２１は、上記の如くの構成となっているので、洗車機用洗浄ブラシ２１の使用時においては、ブラシ片５５の外縁部５８、及び外縁部５９に形成されてある波形形状部７０を、被洗浄面にたいして、連続的、かつ円滑に接触させる事ができると共に、複数のスリット１６、２６を、被洗浄面にたいして接触させる事ができる。その為、洗車機用洗浄ブラシ２１は、被洗浄面に、汚れ等が強力に付着している場合であっても、ブラシ片５５に形成されてある波形形状部７０により、汚れ等を掻き落とすと共に、複数のスリット１６、２６が、より強く汚れ等を掻き落とす為、洗い残しが無く、極めて高い洗浄性を有する事ができる。【００３９】  また、波形形状部７０は、所定形状に設定された連続曲線にて形成されてある為、ブラシ片５５を、被洗浄面にたいして、円滑に接触させる事ができる。その為、ブラシ片５５は、被洗浄面に傷を付ける事が無いと共に、ブラシ片５５の劣化を防止する事ができ、洗車機用洗浄ブラシ２１は、高い耐久性を有する事ができる。【００４０】  実施例２の洗車機用洗浄ブラシ２１は、上記の如くの構成となっているが、スリット１６、２６の詳細形状については、使用目的に応じて、直線以外にも、例えば、概波形、概歯形、正弦曲線、不規則性を有する曲線等を、適時、設定できる。【００４１】  次に、図１１にて、本発明の実施例２の洗車機用洗浄ブラシに使用するブラシ片の他の実施の形態を説明する。実施例２の他の実施の形態のブラシ片６５は、外縁部６８、及び外縁部６９を有���る平板状に形成されてあり、外縁部６８には、直線部６３が形成されてあると共に、端面から中央部に向かって、長さの異なる複数のスリット４６が、形成されてある。また、外縁部６９には、波形形状部８０が形成されてある。また、外縁部６９には、端面から中央部に向かって、所定角度、傾斜されてあると共に、外縁部６８に近づく程、スリット間の距離が狭くなるように設定された複数のスリット３６が、形成されてある。【００４２】  本発明の実施例２の他の実施の形態のブラシ片６５は、上記の如くの構成となっているので、洗車機用洗浄ブラシの使用時においては、ブラシ片６５の外縁部６８に形成されてある直線部６３、及び、長さの異なる複数のスリット４６を、被洗浄面にたいして、連続的、かつ、円滑に接触させる事ができる。その為、洗車機用洗浄ブラシは、被洗浄面に、さまざまな汚れ等が強力に付着している場合であっても、異なる複数のスリット４６が、汚れ等を強力に掻き落とす事ができる為、洗い残しが無く、高い洗浄性を有する事ができる。【００４３】  また、ブラシ片６５の外縁部６９に形成されてある波形形状部８０、及び、端面から中央部に向かって、所定角度、傾斜されてあると共に、外縁部６８に近づく程、スリット間の距離が狭くなるように設定された複数のスリット３６を、被洗浄面にたいして、連続的かつ、円滑に接触させる事ができる。その為、洗車機用洗浄ブラシは、被洗浄面に、さまざまな汚れ等が、強力に付着している場合であっても、波形形状部８０が、汚れ等を強力に掻き落とす事ができると共に、所定角度、傾斜されてあると共に、外縁部６８に近づく程、スリット間の距離が狭くなるように設定された複数のスリット３６が、被洗浄面にたいして、傷を付ける事無く接触する事ができる為、高い洗浄性、及び、高い耐久性を、同時に有する事ができる。
【産業上の利用可能性】
【００４４】  本発明の洗車機用洗浄ブラシは、主に、自動車あるいは車両の外面の被洗浄面に付着した汚れ等を洗浄する為の洗車機に搭載する洗浄ブラシとして使用する。
【図面の簡単な説明】
【００４５】
【図１】  本発明の洗車機用洗浄ブラシを前面側から見た斜視図である。
【図２】  図１に使用する台座を前面側から見た斜視図である。
【図３】  図１のチャンネルブラシの断面図である。
【図４】  図３のチャンネルブラシをＡ方向から見た正面図である。
【図５】  本発明の他の実施の形態のブラシ片の正面図である。
【図６】  本発明の他の実施の形態のブラシ片の正面図である。
【図７】  本発明の他の実施の形態のブラシ片の正面図である。
【図８】  本発明の他の実施の形態の洗車機用洗浄ブラシを前面側から見た斜視図である。
【図９】  本発明の洗車機用洗浄ブラシを前面側から見た斜視図である。
【図１０】  図９に使用するチャンネルブラシの正面図である。
【図１１】  本発明の他の実施の形態のブラシ片の正面図である。
【符号の説明】
【００４６】１、１１、２１  洗車機用洗浄ブラシ  ２、１２、２２  台座
３、２３  チャンネルブラシ  ４、１４、２４  止め金具
５、１５、２５、３５、４５、５５、６５  ブラシ片  ６  芯線
７、１７  帯状体
８、９、１８、１９、２８、２９、３８、３９、４８、４９、５８、５９、６８、６９外縁部  １０、２０、４０、６０、７０、８０  波形形状部
１６、２６、３６、４６  スリット
２７  溝部  ３０  歯形形状部  ５０  徐変波形形状部  ６１、６２、６３  直線部
９５  爪  ９６  ネジ
【図１】
2006056498.tif 000003
【図２】
2006056498.tif 000004
【図３】
2006056498.tif 000005
【図４】
2006056498.tif 000006
【図５】
2006056498.tif 000007
【図６】
2006056498.tif 000008
【図７】
2006056498.tif 000009
【図８】
2006056498.tif 000010
【図９】
2006056498.tif 000011
【図１０】
2006056498.tif 000012
【図１１】
2006056498.tif 000013